(57)【特許請求の範囲】
【請求項１】
多重化され伝送される多重伝送情報を受信し所望のサービス情報を復元する多重情報受信復元装置であって、多重化され伝送される多重伝送情報の各情報は、固有の固定長のパケット構造と該パケット構造を識別するＩＤ情報と固有のデータレートとを有し、
前記多重伝送情報を受信する多重情報受信手段と、
受信した前記多重伝送情報の各情報の前記ＩＤ情報に基づき、圧縮された所望のサービス情報を分離する多重情報分離手段と、
前記分離した所望のサービス情報に対して、前記多重情報受信復元装置内で生成するキー情報に基づきスクランブルをかけるスクランブル付加手段と、
前記分離した所望のサービス情報の少なくとも先頭に、特定パケットＩＤを持ち、前記情報を特定する記録情報識別ＩＤと前記スクランブルのキー情報と読み出し可能回数を制限する読み出し回数制限情報とからなる固有情報の固有情報パケットを付加する固有情報パケット付加手段と、
前記スクランブルをかけられ固有情報パケットを付加された前記情報を、前記多重情報受信復元装置内部または外部の第１の情報記録再生装置に記録する分離情報記録手段と、
前記情報を前記第１の情報記録再生装置に記録する際に、前記多重情報受信復元装置の第２の情報記録再生装置に、前記情報の前記固有情報を記録する固有情報記録手段と、
前記第１の情報記録再生装置に記録された前記分離した所望のサービス情報を前記第１の情報記録再生装置から読み出す分離情報読み出し手段と、
前記分離情報読み出し手段によって読み出した前記情報から、前記固有情報パケットを分離し、前記固有情報に基づき読み出し可能回数を確認し、読み出し可否の判断と読み出し可能回数の更新を行う読み出し回数判定手段と、
前記分離した所望のサービス情報が読み出し可能な場合は、対応する前記キー情報に基づきスクランブルを解除して前記情報を復元する分離情報復元手段と、
前記分離した所望のサービス情報をパケットを単位とする所定の長さのセクションに区切る手段と、
前記区切られた情報の各セクションの区切りに、特定のパケットＩＤを持ち、少なくとも記録する前記情報の記録情報識別ＩＤと一連のセクション番号を表す情報とからなる固有情報を付加するセクション固有情報付加手段と、
前記固有情報と前記各セクション番号毎に独立した読み出し回数制限情報とを第２の情報記録再生装置に設定、記録するセクション固有情報記録手段とを備え、
前記スクランブル付加手段が、前記情報の区切られた各セクション毎に独立したキー情報を用いてスクランブルをかけ、前記セクション固有情報記録手段が前記各セクション毎に独立したスクランブルのキー情報をさらに第２の情報記録再生装置に記録することを特徴とする多重情報受信復元装置。
【請求項２】
請求項１に記載の多重情報受信復元装置であって、前記固有情報パケット付加手段が、前記多重伝送情報内に所定のフォーマットで多重され伝送されてくる情報に基づき前記読み出し回数制限情報を設定することを特徴とする多重情報受信復元装置。
【請求項３】
請求項１に記載の多重情報受信復元装置であって、前記情報の区切られた各セクションの区切りを、前記情報における映像情報の圧縮情報復元処理における処理の区切りに相当するパケットとなるようにしたことを特徴とする多重情報受信復元装置。
【請求項４】
請求項１から３のいずれか１項に記載の多重情報受信復元装置であって、該多重情報受信復元装置がコメント情報を表示できる映像表示部を有し、前記分離情報復元手段が前記分離した所望のサービス情報を記録できる情報記録処理手段と前記分離した所望のサービス情報を復元できる情報復元処理手段とを有し、前記情報が前記分離情報復元手段の前記情報記録処理手段と前記情報復元処理手段の両方に出力される場合には、前記情報の読み出し回数制限情報における読み出し可能回数が１に制限されているときは、前記情報記録処理手段あるいは前記情報復元処理手段のどちらか一方への出力を禁止し、その旨のコメント情報を前記映像表示部に表示することを特徴とする多重情報受信復元装置。
【請求項５】
請求項１から３のいずれか１項に記載の多重情報受信復元装置であって、前記第１の情報記録再生装置が前記分離した所望のサービス情報を記録する記録媒体として着脱可能な記録媒体を用い、該記録媒体を特定する記録媒体ＩＤを前記記録媒体毎に記録する記録媒体ＩＤ記録手段を前記第１の情報記録再生装置が有し、前記固有情報パケット付加手段が前記固有情報として前記記録媒体ＩＤを更に付加して記録することを特徴とする多重情報受信復元装置。
【請求項６】
請求項５に記載の多重情報受信復元装置であって、着脱可能な小規模情報記録媒体に前記情報の固有情報を記録する小規模情報記録手段を前記第２の情報記録再生装置が有し、前記情報の前記固有情報を前記記録媒体ＩＤ毎の情報を単位として前記第２の情報記録再生装置と前記小規模情報記録媒体との間で相互に移動可能とする手段とをさらに備えたことを特徴とする多重情報受信復元装置。
【発明の詳細な説明】
【０００１】
【発明の属する技術分野】
本発明は、複数の圧縮された情報が多重され伝送される多重伝送情報の受信復元装置に関わり、使用できうる情報記録再生装置または記録媒体に自由度を持たせる多重情報受信復元装置および、受信情報の記録再生における著作権の保護を個別の情報毎及び記録再生機器毎に柔軟に対応する多重情報受信復元装置に関する。
【０００２】
【従来の技術】
現在、映像や音声の情報をＭＰＥＧ等に代表されるようなデジタル圧縮技術や多重技術を用いて圧縮し多重して、電波やケーブルにのせて伝送することにより、多チャンネルや有料および無料サービス混在の映像、音声サービスおよび各種データサービスを行うデジタル放送が世界各国で実現されつつあり、例えば、「テレビジョン学会誌」第５０巻第１号（１９９６年）第２２頁〜２３頁、第３４頁〜５４頁に記載されている。
【０００３】
【発明が解決しようとする課題】
このようなシステムにおいては、情報がデジタル情報として伝送されるため、デジタルＶＣＲや近い将来出現が予想される記録再生型ＤＶＤ等に記録された場合、情報の劣化のない記録再生が可能となるため著作権の保護等への対応が必要となる。
【０００４】
この問題に対しては、例えば特開平７−２７２３９９号公報に開示されている発明のような、著作権対応に関わる情報受信、記録再生装置が必要となる。前記特開平７−２７２３９９号公報に開示される発明では、受信情報を記録する際、記録情報にスクランブルをかけ、該受信情報の固有情報を付加して記録する。また固有情報は、別の記録装置にも記録しておき、再生する際に読み出した情報内の固有情報との比較検証により、記録情報を再生できる機器を限定しようとするものである。
【０００５】
しかし前記発明では、記録情報の再生機器は限定できるものの、同じ機器であれば記録情報を何回でも再生可能となる欠点があり、一つの情報記録を部分的に再生する場合への対処もなされていない。また、前記発明では再生機器が限定されるが、家庭内に多数の受信機や記録再生機器が存在する現在の状況を考慮すると、受信放送サービスを記録する機器において機器の限定は、利用者の利便性を損なうことにつながる問題がある。
【０００６】
また、情報記録再生装置としては、デジタルＶＣＲや記録再生型ＤＶＤといった各種情報記録再生装置の利用が想定されるが、これら情報記録再生装置は、記録レート、記録フォーマットが異なり、かつ記録するプログラム情報自体もプログラム毎に記録情報レートが異なるという問題がある。
【０００７】
本発明の目的は、今後ますます増加する、有料および無料サービスが混在する各種デジタル多重伝送情報において、記録情報の読み出し回数を制限する手段を有し、情報内容に応じて柔軟に著作権保護に対応し、同時に機器間の互換性を実現する多重情報受信復元装置を提供すること、および情報記録再生装置として現在市場にあるものから今後出現が予想されるものまで柔軟に対応可能な情報記録再生装置とのインターフェイス手法を提供することにある。
【０００８】
【課題を解決するための手段】
本発明では、多重化され伝送される多重伝送情報を受信し所望のサービス情報を復元する多重情報受信復元装置であって、多重化され伝送される多重伝送情報の各情報は、固有の固定長のパケット構造と該パケット構造を識別するＩＤ情報と固有のデータレートとを有し、多重伝送情報を受信する多重情報受信手段と、受信したＩＤ情報に基づき、圧縮された所望のサービス情報を分離する多重情報分離手段と、分離した情報に対して、多重情報受信復元装置内で生成するキー情報に基づきスクランブルをかけるスクランブル付加手段と、前記情報の少なくとも先頭に、特定パケットＩＤを持ち、前記情報を特定する記録情報識別ＩＤとスクランブルのキー情報と読み出し可能回数を制限する読み出し回数制限情報とからなる固有情報の固有情報パケットを付加する固有情報パケット付加手段と、前記情報を多重情報受信復元装置内部または外部の第１の情報記録再生装置に記録する分離情報記録手段と、前記情報を第１の情報記録再生装置に記録する際に、多重情報受信復元装置の第２の情報記録再生装置に、前記情報の固有情報を記録する固有情報記録手段と、第１の情報記録再生装置に記録された前記情報を第１の情報記録再生装置から読み出す分離情報読み出し手段と、読み出した前記情報から固有情報パケットを分離し、固有情報に基づき読み出し可能回数を確認し、読み出し可否の判断と読み出し可能回数の更新を行う読み出し回数判定手段と、前記情報が読み出し可能な場合は、対応する前記キー情報に基づきスクランブルを解除して前記情報を復元する分離情報復元手段と、前記分離した所望のサービス情報をパケットを単位とする所定の長さのセクションに区切る手段と、前記区切られた情報の各セクションの区切りに、特定のパケットＩＤを持ち、少なくとも記録する前記情報の記録情報識別ＩＤと一連のセクション番号を表す情報とからなる固有情報を付加するセクション固有情報付加手段と、前記固有情報と前記各セクション番号毎に独立した読み出し回数制限情報とを第２の情報記録再生装置に設定、記録するセクション固有情報記録手段とを備え、前記スクランブル付加手段が、前記情報の区切られた各セクション毎に独立したキー情報を用いてスクランブルをかけ、前記セクション固有情報記録手段が前記各セクション毎に独立したスクランブルのキー情報をさらに第２の情報記録再生装置に記録することを特徴とする多重情報受信復元装置によって、前記課題を解決するものである。
【０００９】
【発明の実施の形態】
以下に、本願発明の実施の形態について図面を用いて示す。
【００１０】
以下の記載において、デジタル多重情報サービスとしては、情報多重方式としてＭＰＥＧ−２システム規格（ＩＳＯ／ＩＥＣ  ＩＳ  １３８１８−１）を、また映像圧縮方式としては、ＭＰＥＧ−２ビデオ規格（ＩＳＯ／ＩＥＣ  ＩＳ  １３８１８−２）を用いたものをとりあげて説明を行う。
【００１１】
図１は、本願発明に関連する一つの実施の形態を示すブロック図である。
【００１２】
図１は、本願発明に関連する多重情報受信復元装置である。
【００１３】
図２は、本願発明に関連する記録再生インターフェース回路の一つの実施の形態を示す図である。
【００１４】
図３は、本願発明に関連する第１のダミーパケット挿入回路の一つの実施の形態を示す図である。
【００１５】
図４は、本願発明に関連するダミーパケット削除回路と第２のダミーパケット付加回路の一つの実施の形態を示す図である。
【００１６】
図５は、ＭＰＥＧ−２システム規格の情報サービスのトランスポートパケットの一例を示す図である。
【００１７】
図６は、特定ＩＤを持つ固定長の第１のダミーパケットの一例を示す図である。
【００１８】
図７は、特定ＩＤを持つ可変長の第１のダミーパケットの一例を示す図である。
【００１９】
図８は、現在市販されている民生用デジタルＶＴＲの概略構成を表す図である。
【００２０】
図１において、本願発明に関連する多重情報受信復元装置は、多重情報受信手段１０１と、多重情報分離手段および分離情報記録手段および分離情報読み出し手段および第１のダミーパケット付加手段およびダミーパケット削除手段である記録再生インターフェース回路１０７と、第１の情報記録再生装置１０８と、分離情報復元手段である多重情報分離回路１０２と多重情報分離制御部１０６と映像情報復元回路１０３と音声情報復元回路１０４と付加情報復元回路１０５とからなる多重情報分離復元装置１１０とを備える。
【００２１】
多重伝送情報とは圧縮、多重された情報が、デジタル変調技術等を用いて電波やケーブルを介して伝送された情報を示す。受信した多重伝送情報は、多重情報受信手段１０１に入力され、デジタル復調、誤り訂正等の処理を経て多重伝送情報として出力される。多重伝送情報は、分離情報復元手段である多重情報分離復元装置内の多重情報分離回路１０２に入力され圧縮された所望のサービス情報が分離され、各々映像情報復元回路１０３、音声情報復元回路１０４、付加情報復元回路１０５にて圧縮された情報が復元されて出力される。本願発明の多重情報受信復元装置は、分離情報復元手段に入力される前の多重伝送情報を、記録再生インターフェース回路１０７を介して第１の情報記録再生装置１０８に記録再生する機能を付加した多重情報受信復元装置を提供する。
【００２２】
図２から図４をもとに、本願発明に関連する多重情報受信復元装置の特徴である、図１に示される記録再生インターフェース回路１０７の詳細な実施の形態について説明する。
【００２３】
ＭＰＥＧ−２システム規格では、各々の情報サービスは、図５に示すようなパケットＩＤにて情報の種別を識別可能な固定長のトランスポートパケットに加工されて多重される。
【００２４】
図２に示す記録再生インターフェース回路は、多重情報分離手段である多重情報分離回路２０１と、分離情報記録手段および第１のダミーパケット付加手段である第１のダミーパケット挿入回路２０２と、分離情報読み出し手段およびダミーパケット削除手段であるダミーパケット削除回路２０３と、第２のダミーパケット付加手段である第２のダミーパケット挿入回路２０４とから構成されている。図２にはその他に、第１の情報記録再生装置２０５が示されている。
【００２５】
多重情報分離回路２０１は、多重伝送情報のＩＤ情報にもとづき記録したい所望のサービス情報を分離し後段に渡す。分離されたサービス情報は、第１のダミーパケット挿入回路２０２にて、記録する情報の持つパケットのＩＤ情報とは異なる特定のパケット識別ＩＤを持つ第１のダミーパケットを挿入し、第１の情報記録再生装置２０５に情報を渡す。記録する情報のパケットについては、場合に応じては多重情報分離回路２０１にてパケット識別ＩＤのすげ替えも行う。
【００２６】
図３は、図２中で２０２の参照番号で示された第１のダミーパケット挿入回路の一つの実施の形態である。
【００２７】
図３に示す第１のダミーパケット挿入回路は、パケット分離回路３０１と、バッファメモリ３０５と、第１のダミーパケット発生回路３０３および３０４と、パケットコントローラ３０２と、スイッチ３０６および３０７と、記録フォーマット変換回路３０８から構成されている。
【００２８】
図３において、ＩＤ情報にもとづき分離された多重伝送情報は、バッファメモリ３０５に入力される。第１のダミーパケット発生回路３０３および３０４は、例えば、図６、図７に示すような特定ＩＤを持つ固定長および可変長の第１のダミーパケットを生成する。
【００２９】
図６の固定長の第１のダミーパケットは、多重伝送情報を構成するパケットと同一の構造を持つ。また、図７の可変長の第１のダミーパケットでは、パケットヘッダの後に、パケットの長さを表すパケット長データを付加してパケットの長さを規定する。
【００３０】
パケットコントローラ３０２は、パケット分離回路３０１から得られる分離パケットの情報量を表す情報または信号（バッファメモリ３０５への分離パケット書き込み状態を示す情報または信号）、および入力側のクロックと出力側のクロックの関係に基づき、スイッチ３０６または３０７を適時切り替えて、第１のダミーパケットを挿入し、第１のダミーパケットを挿入した前記情報を第１の情報記録再生装置２０５に出力する。
【００３１】
パケット分離回路３０１で分離されるパケットの量は、選択するサービス情報に応じて、また同一サービス情報においても時間に応じてその情報量は変化するが、第１のダミーパケットを付加することにより、パケット分離回路３０１における最大情報分離レートを超える任意の出力クロックに対して、第１の情報記録再生装置２０５への一定のデータレートで情報の出力が可能となる。尚、固定長の第１のダミーパケットに加えて、可変長の第１のダミーパケット挿入を付加することにより、より細かなデータレート調整が可能となる。
【００３２】
バッファメモリ３０５は最低１パケット長以上が必要となるが、パケット単位でのデータレート調整により、バッファメモリ３０５の容量の逓減、第１のダミーパケットの発生回路３０３および３０４、パケットコントローラ３０２、記録情報再生の際の第１のダミーパケットの除去回路の簡素化が実現できる。記録フォーマット変換回路３０８は、第１の情報記録再生装置２０５のインターフェース仕様に応じたフレーム構造を持つ情報フォーマット等への変換を行う。
【００３３】
図８の現在市販されている民生用デジタルＶＴＲの概略構成を示す図において、アナログの映像、音声信号はＡ／Ｄ変換された後、映像／音声圧縮復元回路８０１にて圧縮され、所定のフレーム構造を持つフォーマットの形式で次段に渡され、誤り訂正変調回路８０２にて誤り訂正、デジタル変調処理が施された後、記録再生メカ部８０３にてテープに記録される。本願発明の第１の情報記録再生装置として、例えば、このデジタルＶＴＲを使用する場合、データレート変換された記録情報は、所定のフレーム構造を持つ８ａの箇所にて、インターフェースするのが適当であり、この場合の記録フォーマット変換回路３０８は、デジタルＶＴＲの８ａの部分におけるフレーム構造への変換回路となる。
【００３４】
図４のダミーパケット削除回路と第２のダミーパケット付加回路の一つの実施の形態を示す図において、ダミーパケット分離回路４０１にて、第１の情報記録再生装置２０５より読み出された再生情報は、付加された第１のダミーパケットを除去され、バッファメモリ４０４に入力される。さらに、第１の情報記録再生装置２０５へ記録の際に第１のダミーパケット挿入したのと同じ方法で、第２のダミーパケット発生回路４０３とパケットコントローラ４０２とスイッチ４０５とを用いて、第２のダミーパケットを挿入し読み出された再生情報の出力データレートを調整する。
【００３５】
ＭＰＥＧ規格では、情報を可変レートで圧縮し多重伝送するため、従来の非圧縮情報伝送とは異なり圧縮前の信号の持つ時間軸の情報が、伝送の過程で消失する。このため、送り側では受信側で時間軸情報を再生するための情報を、パケット情報に盛り込んで送信し、受信機側ではこの情報に基づき時間軸を復元するが、この情報は、多重された状態でのデータレートに基づき定義されている。本願発明では、第２のダミーパケットの挿入により、本来記録情報が多重されていたデータレートへの調整が柔軟に行えるため、時間軸情報の再生の際に影響を及ぼさない記録情報の出力が可能となる。
【００３６】
図９は、本願発明の実施の形態を示すブロック図である。
【００３７】
図１０は、固有情報パケットの一例を示す図である。
【００３８】
図１１は、記録再生制御部で記録管理する管理情報の一例を示す図である。
【００３９】
図１２は、可変長のＰＥＳパケットの一例を示す図である。
【００４０】
図１３は、映像圧縮データの構造の一例を示す図である。
【００４１】
図９は、本願発明の請求項１に記載の多重情報受信復元装置の一つの実施の形態を示す図である。
【００４２】
図９において、本願発明の多重情報受信復元装置は、多重情報受信手段９０１と、多重情報分離手段である多重情報分離回路９０２と、スクランブル付加手段であるスクランブル回路９０４と、固有情報パケット付加手段である固有情報パケット挿入回路９０３と、分離情報記録手段および分離情報読み出し手段および固有情報記録手段である記録再生制御部９１０と、第１の情報記録再生装置９０５と、第２の情報記録再生装置９１１と、読み出し回数判定手段である固有情報パケット分離回路９０６および記録再生制御部９１０と、分離情報復元手段であるデスクランブル回路９０７および多重情報分離復元装置９０９とを備えている。
【００４３】
図９において、多重情報受信手段９０１より出力される受信した多重伝送情報は、多重情報分離回路９０２において、ＩＤ情報９ａに基づき所望のサービス情報が分離される。次段の固有情報パケット挿入回路９０３では、特定のパケットＩＤを持ち、かつ少なくとも記録する情報の記録情報識別ＩＤを含んだ、図１０に示すような固有情報パケットを挿入する。固有情報パケットを挿入した後、記録再生制御部９１０で、記録サービス情報毎に発生されるスクランブルキー情報をもとにスクランブル回路９０４にてスクランブル処理が施され、ダミーパケット挿入回路や記録フォーマット変換回路等を経て、第１の情報記録再生装置９０５に分離された所望のサービス情報が記録される。
【００４４】
この場合、スクランブルは挿入する固有情報パケットに対しては施さず、また記録する情報についてはパケットヘッダー部分を除くペイロード部分にのみ施す。また、固有情報パケットは、少なくとも記録する各サービス情報毎に記録の開始時点にて挿入するものとする。
【００４５】
記録再生制御部９１０は、少なくとも記録される各サービス情報毎の識別情報と使用するスクランブルキー情報および、記録するサービス情報毎の著作権保護に係わる制限に応じて設定するサービス情報毎の読み出し回数制限情報を管理し、第２の情報記録再生装置（メモリ等）９１１に記録する。読み出し回数制限情報の設定においては、例えば、少なくとも有料で伝送段階でスクランブル処理が施されたサービス情報については、１回の再生のみを可能とするよう設定条件を与える方法が考えられるが、送信側で、多重伝送する際に各サービス情報に対して、あらかじめ記録に際する読み出し回数を定義した情報を多重して送信し、受信側にて、その設定条件に従って読み出し可能回数をセットする方法により、柔軟かつ自動的な設定が可能となる。
【００４６】
ＭＰＥＧの多重規格では、受信側で各サービス情報の選択や、サービス情報内容の識別、認識ができるようそれらの情報を含んだパケットを多重し伝送するためのシステムインフォメーションに関する規格が定義されているが、この規格においては、リザーブ領域が確保されており、それらの一部を著作権保護レベルを表す情報領域に定義することが可能である。
【００４７】
第１の情報記録再生装置９０５から読み出された再生情報は、記録フォーマット変換回路やダミーパケット除去回路等を経て、固有情報パケット分離回路９０６に入力される。固有情報パケット分離回路９０６は、記録時に挿入した固有情報パケットを分離し、固有情報９ｄを記録再生制御部９１０に渡す。
【００４８】
記録再生制御部９１０は、読み出された再生情報の固有情報９ｄに基づき第２の情報記録再生装置９１１内の対応する読み出し回数制限情報をチェックし、読み出し可能な場合に限って、対応するスクランブルキー情報９ｃをデスクランブル回路９０７に渡してスクランブルを解除すると共に、読み出し回数制限情報を１回分減少させる。デスクランブル回路９０７にてスクランブル解除された情報は、ダミーパケット挿入回路にてデータレート調整され、多重情報分離復元回路９０９に出力される。
【００４９】
図９の固有情報パケット挿入回路９０３において、記録する１サービス情報をパケットを単位とするセクションに分割し、各セクションの最初に少なくとも記録情報識別ＩＤとセクション番号を含む、図１０に示すような固有情報パケットを挿入する。
【００５０】
また同時に、記録再生制御部９１０は、各セクション毎に独立の読み出し回数制限情報を設定、記録管理する。これにより、再生の際、セクション単位での読み出し回数の制御が可能となり、部分的な再生（途中まで再生しての中断や、途中からの再生）において、部分的に重複再生される問題や、部分的に再生が制限される問題に対して、セクション単位で柔軟に対応可能となる。
【００５１】
図１１ではさらに、セクション毎に異なるスクランブルキー情報を定義しているが、これによりスクランブルの信頼性は向上する。また図１１では、記録媒体として、記録媒体ＩＤが記録可能な媒体を用いる場合において、記録媒体毎の記録媒体ＩＤに基づき固有情報を管理した例を示す。これは、後述する機器間の互換を図った実施の形態にて極めて有効となる。
【００５２】
記録するサービスをセクションに分割する際、セクションの区切りとして、多重情報分離復元装置のうちの映像情報復元回路における処理の区切りに相当するパケットを区切りに設定することは、記録情報を途中から再生する場合等において、再生情報入力から画像の復元までの時間を短縮するのに効果がある。１つの映像情報は、１つのパケットＩＤで特定される固定パケット群にて多重されて伝送されるが、固定パケットに加工される前段階では、図１２に示すような可変長のＰＥＳパケットの構造を持つ。またさらにその前段階では、映像圧縮データは、図１３に示すような構造をとる。
【００５３】
図１３において、シーケンスヘッダは、映像の画像サイズ、アスペクト、フレームレート等々の情報を含み、映像復元処理における基本情報となり、ＧＯＰヘッダ（ＧＨ）は、時間方向の予測に基づく圧縮処理を行うＭＰＥＧ方式において一連の復元処理の区切りを表し、ピクチャーヘッダ（ＰＨ）は、１フレーム毎の映像情報の区切りを表す。また、各ヘッダの開始部分には、特定のスタートコードが定義されている。ＰＥＳパケットは、図１３の圧縮映像データの構造において、（Ａ）または（Ｂ）または（Ｃ）にて定義される、一連の情報を単位として構成されるが、図５に示すトランスポートパケットヘッダ内のペイロードユニットスタートインジケータにて、トランスポートレベルにてＰＥＳヘッダの存在が認識可能な構造となっている。
【００５４】
図９の多重情報分離回路９０２内部に、トランスポートヘッダ内のペイロードユニットインジケータをチェックして、ＰＥＳヘッダの存在を検出する機能と、ＰＥＳヘッダが存在する場合に、ＰＥＳパケット内のシーケンスヘッダまたはＧＯＰヘッダのスタートコードの有無を検出する機能を付加することにより、ＰＥＳパケットのシーケンスヘッダまたはＧＯＰヘッダを含むパケットを検出でき、これらをセクションの区切りとして設定することにより、セクションを単位とする部分的な再生に対する復元処理がスムーズに実行できる。
【００５５】
多重伝送情報を受信する際、有料放送等は一回の視聴のみが許される可能性が高い。このため、有料放送情報を記録する際に、記録と同時に多重情報分離復元装置での復元処理が発生する場合は、図９の記録再生制御部９１０にて、自動的にどちらか一方を禁止し、９ｅにてＯＳＤ（オンスクリーン表示）処理部に情報または信号を渡し、その旨のメッセージを映像表示部の画面に表示する。また、第２の情報記録再生装置９１１内の管理情報についても、９ｅを介してＯＳＤ処理部に情報を渡し、記録情報に関する映像表示部での画面表示が可能となる。
【００５６】
図１４に、本願発明のさらに別の実施の形態の一例を示す。
【００５７】
図１４は、本願発明の請求項７に記載の多重情報受信復元装置の一つの実施の形態を示す図である。
【００５８】
図１４において、本願発明の固有情報管理による著作権保護に対応した多重情報受信復元装置１および２は、それぞれ記録再生インターフェース回路１４０１、１４１１と、第１の情報記録再生装置１４０２、１４１２と、第２の情報記録再生装置１４０５、１４１５と、多重情報分離復元装置１４０３、１４１３と、記録再生制御部１４０４、１４１４とを備えている。さらに、第１の情報記録再生装置および第２の情報記録再生装置がそれぞれ、着脱可能な記録媒体１４０６および小規模情報記録媒体１４０７を備えている。１４０７は、例えばメモりカードのような着脱可能な小規模情報記録媒体である。この構成により、読み出し回数制限による著作権保護管理を保持したまま、多重情報受信復元装置間での互換を実現するものである。
【００５９】
多重情報受信復元装置１で受信、記録された特定ＩＤを持つ第１の情報記録再生装置１４０２内の情報は、着脱可能な記録媒体１４０６に記録され、該着脱可能な記録媒体１４０６に記録された情報に対する固有情報は、多重情報受信復元装置１の記録再生制御部１４０４内に管理されており、これを第２の情報記録再生装置１４０５を介して着脱可能な小規模情報記録媒体１４０７に移す。
【００６０】
小規模情報記録媒体１４０７に前記固有情報が移された場合、多重情報受信復元装置１における記録再生制御部１４０４で管理する第２の情報記録再生装置１４０５内の固有情報は、自動的に抹消される。この後、記録媒体１４０６と小規模情報記録媒体１４０７を、多重情報受信復元装置２にセットし、記録媒体１４０６の記録情報を第１の情報記録再生装置１４１２に、小規模情報記録媒体１４０７の記録情報を第２の情報記録再生装置１４１５に記録する。その後、小規模情報記録媒体１４０７内の記録情報は、自動的に抹消する。以上の構成によって、読み出し回数を制限する著作権対応を維持したまま機器間の互換を実現する。
【００６１】
【発明の効果】
本願発明の多重情報受信復元装置によって、分離した所望のサービス情報に対して、多重情報受信復元装置内で生成するキー情報にもとづきスクランブルをかける手段と、前記情報の少なくとも先頭に、記録情報識別ＩＤとスクランブルのキー情報と読み出し回数制限情報とからなる固有情報を持つ特定パケットＩＤの固有情報パケットを付加する固有情報パケット付加手段と、固有情報を記録する固有情報記録手段と、読み出した前記情報から、固有情報パケットを分離し固有情報に基づき読み出し可能回数を確認し、読み出し可否の判断と読み出し可能回数の更新を行う読み出し回数判定手段と、読み出し可能な場合は、対応するキー情報に基づきスクランブルを解除して情報を復元する分離情報復元手段とを備えることにより、記録するプログラム単位で再生可能回数を管理した著作権対応情報記録再生が可能となる。
【００６２】
また、記録する１プログラム内をセクションに分割することにより、１プログラム内の各セクション毎に再生可能回数を制限でき、例えば記録プログラムを途中まで再生し、中断した後再度再生する場合においても、既に再生した部分の重複再生や、まだ再生していない部分の読み出し不可といった問題に柔軟に対応できる。
【００６３】
また、セクションの分割を復元処理における情報の区切りと一致させることにより、中断後の途中再生において復元処理が無駄なく迅速に行える。
【００６４】
記録媒体に記録媒体ＩＤを付加し、記録媒体の記録媒体ＩＤ毎に記録の際の各種情報（記録情報識別ＩＤ、スクランブルキー、再生回数制限情報等）を管理することにより、記録媒体の差し替えに対しても自動的に読み出し回数を制限した、著作権対応の記録再生が可能となる。
【００６５】
また、メモリーカード等着脱可能な小規模情報記録媒体に対して、多重情報受信復元装置内に記録されている記録情報の固有情報を移動させ、記録情報が記録されている記録媒体と共に該小規模情報記録媒体に記録されている固有情報を他の多重情報受信復元装置、または記録情報再生、復元装置にセットすることにより、読み出し回数を制限する著作権対応を維持したまま機器間の互換を実現する。
【図面の簡単な説明】
【図１】  本願発明に関連する一つの実施の形態を示すブロック図
【図２】  記録再生インターフェース回路の一つの実施の形態を示す図
【図３】  第１のダミーパケット挿入回路の一つの実施の形態を示す図
【図４】  ダミーパケット削除回路と第２のダミーパケット付加回路の一つの実施の形態を示す図
【図５】  ＭＰＥＧ−２システム規格のサービス情報のトランスポートパケットの一例を示す図
【図６】  特定ＩＤを持つ固定長の第１のダミーパケットの一例を示す図
【図７】  特定ＩＤを持つ可変長の第１のダミーパケットの一例を示す図
【図８】  現在市販されている民生用デジタルＶＴＲの概略構成を表す図
【図９】  本願発明の実施の形態を示すブロック図
【図１０】  固有情報パケットの一つの例を示す図
【図１１】  記録再生制御部で記録管理する管理情報の一例を示す図
【図１２】  可変長のＰＥＳパケットの一例を示す図
【図１３】  映像圧縮データの構造の一例を示す図
【図１４】  本願発明のさらに別の実施の形態を示すブロック図
【符号の説明】
１０１、９０１、  多重情報受信手段
１０２、２０１、９０２、  多重情報分離回路
１０３、  映像情報復元回路
１０４、  音声情報復元回路
１０５、  付加情報復元回路
１０６、  多重情報分離制御部
１０７、  記録再生インターフェース回路
１０８、２０５、９０５、  第１の情報記録再生装置
１１０、９０９、  多重情報分離復元装置
２０２、  第１のダミーパケット挿入回路
２０３、  ダミーパケット除去回路
２０４、  第２のダミーパケット挿入回路
９０３、  固有情報パケット挿入回路
９０４、  スクランブル回路
９０６、  固有情報パケット分離回路
９０７、  デスクランブル回路
９１０、  記録再生制御部
９１１、  第２の情報記録再生装置
１４０６、  記録媒体
１４０７、  小規模情報記録媒体
【図１】
0003645057.tif 000002
【図２】
0003645057.tif 000003
【図３】
0003645057.tif 000004
【図４】
0003645057.tif 000005
【図５】
0003645057.tif 000006
【図６】
0003645057.tif 000007
【図７】
0003645057.tif 000008
【図８】
0003645057.tif 000009
【図９】
0003645057.tif 000010
【図１０】
0003645057.tif 000011
【図１１】
0003645057.tif 000012
【図１２】
0003645057.tif 000013
【図１３】
0003645057.tif 000014
【図１４】
0003645057.tif 000015